(57)【特許請求の範囲】
【請求項１】
交流電源部の第１の出力端子および系統電力に接続されるＵ相端子の間に設けられる第１のリレーと、前記第１の出力端子と異なる極性の第２の出力端子および前記系統電力に接続されるＷ相端子の間に設けられる第２のリレーと、補機に接続される第１の補機端子と前記Ｕ相端子または前記Ｗ相端子との間に設けられる第３のリレーと、前記第１の補機端子とは極性の異なる第２の補機端子および前記系統電力に接続されるＯ相端子の間に設けられる第４のリレーと、前記第１の出力端子および前記第１の補機端子の間に設けられる第５のリレーと、前記第２の出力端子および前記第２の補機端子の間に設けられる第６のリレーとに対する、通電および遮断を制御可能なコントローラであって、
前記第１のリレーを通電させることによる第１の溶着確認、および前記第２のリレーを通電させることによる第２の溶着確認を、順不同で行った後、
前記第３のリレーとともに前記Ｕ相端子または前記Ｗ相端子に接続されている前記第１のリレーまたは前記第２のリレーである同一相リレー、前記第３のリレー、および前記第４のリレーを通電させることによる第３の溶着確認を、前記第１のリレーおよび前記第２のリレーの中の前記同一相リレーとは異なる非同一相リレー、前記第３のリレー、および前記第４のリレーを通電させることによる第４の溶着確認より先に行い、
前記同一相リレー、前記第５のリレー、および前記第６のリレーを通電させることによる第５の溶着確認を、前記非同一相リレー、前記第５のリレー、および前記第６のリレーを通電させることによる第６の溶着確認より先に行う
コントローラ。
【請求項２】
請求項１に記載のコントローラにおいて、
前記第１の溶着確認から前記第６の溶着確認の実行中に、前記第１のリレーから前記第６のリレーのいずれかに溶着が発生していることが最初に判別された場合、前記第１の溶着確認から前記第６の溶着確認の中の未実行の溶着確認を取止める
コントローラ。
【請求項３】
請求項１または２に記載のコントローラにおいて、
前記第１の溶着確認から前記第６の溶着確認の実行中に、前記第１のリレーから前記第６のリレーのいずれかに溶着が発生していることが判別された場合、溶着している旨を報知する報知信号を出力する
コントローラ。
【請求項４】
請求項１から３のいずれか１項に記載のコントローラにおいて、
前記第１の溶着確認、前記第２の溶着確認、前記第４の溶着確認、および前記第６の溶着確認を、前記Ｕ相端子と前記Ｗ相端子との間の電位差、または前記第１の出力端子と前記第２の出力端子との間の電位差に基づいて実行し、
前記第３の溶着確認および前記第５の溶着確認を、前記Ｏ相端子と前記Ｕ相端子および前記Ｗ相端子の中で前記同一相リレーに接続される一方との間の電位差、または前記第１の出力端子と前記第２の出力端子との間の電位差に基づいて実行する
コントローラ。
【請求項５】
請求項４に記載のコントローラにおいて、
前記系統電力の電力供給が停止している場合、前記第１の溶着確認、前記第２の溶着確認、前記第４の溶着確認、および前記第６の溶着確認を、前記Ｕ相端子と前記Ｗ相端子との間の電位差に基づいて実行し、前記第３の溶着確認および前記第５の溶着確認を、前記Ｏ相端子と前記Ｕ相端子および前記Ｗ相端子の中で前記同一相リレーに接続される一方との間の電位差に基づいて実行し、
前記系統電力の電力供給が実行されている場合、前記第１の溶着確認から前記第６の溶着確認を、前記第１の出力端子および前記第２の出力端子の間の電位差に基づいて実行する
コントローラ。
【請求項６】
第１の出力端子および該第１の出力端子とは極性の異なる第２の出力端子を有する交流電源部と、
系統電力に接続されるＵ相端子、Ｗ相端子、およびＯ相端子と、
補機に接続される第１の補機端子および該第１の補機端子とは極性の異なる第２の補機端子と、
前記第１の出力端子および前記Ｕ相端子の間に設けられる第１のリレーと、
前記第２の出力端子および前記Ｗ相端子の間に設けられる第２のリレーと、
前記第１の補機端子と、前記Ｕ相端子または前記Ｗ相端子との間に設けられる第３のリレーと、
前記第２の補機端子および前記Ｏ相端子の間に設けられる第４のリレーと、
前記第１の出力端子および前記第１の補機端子の間に設けられる第５のリレーと、
前記第２の出力端子および前記第２の補機端子の間に設けられる第６のリレーと、
前記第１のリレーを通電させることによる第１の溶着確認および前記第２のリレーを通電させることによる第２の溶着確認を順不同で行った後、前記第３のリレーとともに前記Ｕ相端子または前記Ｗ相端子に接続されている前記第１のリレーまたは前記第２のリレーである同一相リレー、前記第３のリレー、および前記第４のリレーを通電させることによる第３の溶着確認を、前記第１のリレーおよび前記第２のリレーの中の前記同一相リレーとは異なる非同一相リレー、前記第３のリレー、および前記第４のリレーを通電させることによる第４の溶着確認より先に行い、前記同一相リレー、前記第５のリレー、および前記第６のリレーを通電させることによる第５の溶着確認を、前記非同一相リレー、前記第５のリレー、および前記第６のリレーを通電させることによる第６の溶着確認より先に行うコントローラと、を備える
分散電源。
【請求項７】
交流電源部の第１の出力端子および系統電力に接続されるＵ相端子の間に設けられる第１のリレーと、前記第１の出力端子と異なる極性の第２の出力端子および前記系統電力に接続されるＷ相端子の間に設けられる第２のリレーと、補機に接続される第１の補機端子と前記Ｕ相端子または前記Ｗ相端子との間に設けられる第３のリレーと、前記第１の補機端子とは極性の異なる第２の補機端子および前記系統電力のＯ相端子の間に設けられる第４のリレーと、前記第１の出力端子および前記第１の補機端子の間に設けられる第５のリレーと、前記第２の出力端子および前記第２の補機端子の間に設けられる第６のリレーの溶着を確認する方法であって、
前記第１のリレーを通電させることによる第１の溶着確認、および前記第２のリレーを通電させることによる第２の溶着確認を、順不同で行った後、
前記第３のリレーとともに前記Ｕ相端子または前記Ｗ相端子に接続されている前記第１のリレーまたは前記第２のリレーである同一相リレー、前記第３のリレー、および前記第４のリレーを通電させることによる第３の溶着確認を、前記第１のリレーおよび前記第２のリレーの中の前記同一相リレーとは異なる非同一相リレー、前記第３のリレー、および前記第４のリレーを通電させることによる第４の溶着確認より先に行い、
前記同一相リレー、前記第５のリレー、および前記第６のリレーを通電させることによる第５の溶着確認を、前記非同一相リレー、前記第５のリレー、および前記第６のリレーを通電させることによる第６の溶着確認より先に行う
溶着を確認する方法。
【発明の詳細な説明】
【関連出願の相互参照】
【０００１】
本出願は、２０１７年８月２８日に日本国に特許出願された特願２０１７−１６３５４２の優先権を主張するものであり、この先の出願の開示全体をここに参照のために取り込む。
【技術分野】
【０００２】
本開示は、コントローラ、分散電源、および溶着を確認する方法に関するものである。
【背景技術】
【０００３】
燃料電池のような電源から、負荷機器への電力の通電と遮断との切替えに、リレーが用いられている。しかしながら、例えば、過電流が流れるなどの熱を発生させる事象がリレーにおいて発生した場合、リレーが溶け、接着することにより、リレーの通電と遮断との切替えが正常に動作しないことがある。それゆえ、このようなリレーには、溶着が発生しているか否かの判別が求められている。リレーの溶着の発生は、リレーの開閉時における接点端子間の電位差の変化に基づいて、判別可能である。または、リレーの溶着の発生は、リレーに流れる電流の経路上の電流センサにおいてリレーを遮断させたときの電流値に基づいて判別可能である（特許文献１参照）。
【先行技術文献】
【特許文献】
【０００４】
【特許文献１】特開２０１０−２２５４１８号公報
【発明の概要】
【発明が解決しようとする課題】
【０００５】
電源は、商用系統とともに需要家施設の負荷機器に電力を供給する分散電源として用いられることがある。分散電源は、商用系統から負荷機器への電力の導電路に、連系用のリレーを介して接続される。需要家施設における特定の負荷機器である補機には、当該供給路を介すること無く、商用系統および分散電源から電力を受電可能となるように補機連系リレーおよび補機自立リレーが接続される。【０００６】
このように、複数のリレーが用いられる構成において、リレーの溶着発生の判別方法に特許文献１に記載された方法または上述の電位差に基づく方法を適用すると、リレーの数に応じて電流センサまたは電圧センサを設ける必要がある。リレーの数に応じた複数のセンサの設置は、製造コストを増大させる。【０００７】
従って、上記のような従来技術の問題点に鑑みてなされた本開示の目的は、複数のリレーのいずれかにおける溶着の発生を、従来よりも少ないセンサの検出結果を用いて、判別するコントローラ、分散電源、および方法を提供することにある。
【課題を解決するための手段】
【０００８】
上述した諸課題を解決すべく、第１の観点によるコントローラは、第１のリレーと、第２のリレーと、第３のリレーと、第４のリレーと、第５のリレーと、第６のリレーとに対する、通電および遮断を制御可能なコントローラである。第１のリレーは、交流電源部の第１の出力端子およびＵ相端子の間に設けられる。Ｕ相端子は、系統電力に接続される。第２のリレーは、第２の出力端子およびＷ相端子の間に設けられる。第２の出力端子は、第１の出力端子と異なる極性である。Ｗ相端子は、系統電力に接続される。第３のリレーは、第１の補機端子とＵ相端子またはＷ相端子との間に設けられる。第１の補機端子は、補機に接続される。第４のリレーは、第２の補機端子およびＯ相端子の間に設けられる。第２の補機端子は、第１の補機端子と異なる極性である。Ｏ相端子は、系統電力に接続される。第５のリレーは、第１の出力端子および第１の補機端子の間に設けられる。第６のリレーは、第２の出力端子および第２の補機端子の間に設けられる。第１の観点によるコントローラは、第１の溶着確認および第２の溶着確認を順不同で行った後、第３の溶着確認を第４の溶着確認より先に行い、第５の溶着確認を第６の溶着確認より先に行う。第１の溶着確認は、第１のリレーを通電させることにより行われる。第２の溶着確認は、第２のリレーを通電させることにより行われる。第３の溶着確認は、同一相リレー、第３のリレー、および第４のリレーを通電させることにより行われる。同一相リレーは、第３のリレーとともに前記Ｕ相端子または前記Ｗ相端子に接続されている第１のリレーまたは第２のリレーである。第４の溶着確認は、非同一相リレー、第３のリレー、および第４のリレーを通電させることにより行われる。非同一相リレーは、第１のリレーおよび第２のリレーの中の同一相リレーとは異なる。第５の溶着確認は、同一相リレー、第５のリレー、および第６のリレーを通電させることにより行われる。第６の溶着確認は、非同一相リレー、第５のリレー、および第６のリレーを通電させることにより行われる。【０００９】
第２の観点による分散電源は、交流電源部と、Ｕ相端子、Ｗ相端子、およびＯ相端子と、第１の補機端子および第２の補機端子と、第１のリレーと、第２のリレーと、第３のリレーと、第４のリレーと、第５のリレーと、第６のリレーと、コントローラと、を備える。交流電源部は、第１の出力端子および第２の出力端子を有する。第２のシャツ力端子は、第１の出力端子とは極性が異なる。Ｕ相端子、Ｗ相端子、およびＯ相端子は、系統電力に接続される。第１の補機端子は、補機に接続される。第２の補機端子は、第１の補機端子とは極性が異なる。第１のリレーは、第１の出力端子およびＵ相端子の間に設けられる。第２のリレーは、第２の出力端子およびＷ相端子の間に設けられる。第３のリレーは、第１の補機端子と、Ｕ相端子またはＷ相端子との間に設けられる。第４のリレーは、第２の補機端子およびＯ相端子の間に設けられる。第５のリレーは、第１の出力端子および第１の補機端子の間に設けられる。第６のリレーは、第２の出力端子および第２の補機端子の間に設けられる。コントローラは、第１の溶着確認および第２の溶着確認を順不同で行った後、第３の溶着確認を第４の溶着確認より先に行い、第５の溶着確認を第６の溶着確認より先に行う。第１の溶着確認は、第１のリレーを通電させることにより行われる。第２の溶着確認は、第２のリレーを通電させることにより行われる。第３の溶着確認は、同一相リレー、第３のリレー、および第４のリレーを通電させることにより行われる。同一相リレーは、第３のリレーとともに前記Ｕ相端子または前記Ｗ相端子に接続されている第１のリレーまたは第２のリレーである。第４の溶着確認は、非同一相リレー、第３のリレー、および第４のリレーを通電させることにより行われる。非同一相リレーは、第１のリレーおよび第２のリレーの中の同一相リレーとは異なる。第５の溶着確認は、同一相リレー、第５のリレー、および第６のリレーを通電させることにより行われる。第６の溶着確認は、非同一相リレー、第５のリレー、および第６のリレーを通電させることにより行われる。【００１０】
上述したように本開示の解決手段を装置、及びシステムとして説明してきたが、本開示は、これらを含む態様としても実現し得るものであり、また、これらに実質的に相当する方法、プログラム、プログラムを記録した記憶媒体としても実現し得るものであり、本開示の範囲にはこれらも包含されるものと理解されたい。【００１１】
例えば、本発明の第３の観点を方法として実現させた溶着を確認する方法は、
第１のリレーと、第２のリレーと、第３のリレーと、第４のリレーと、第５のリレーと、第６のリレーの溶着を確認する方法であって、第１の溶着確認および第２の溶着確認を、順不同で行った後、第３の溶着確認を第４の溶着確認より先に行い、第５の溶着確認を、第６の溶着確認より先に行う。
第１のリレーは、交流電源部の第１の出力端子および系統電力に接続されるＵ相端子の間に設けられる。第２のリレーは、第２の出力端子およびＷ相端子の間に設けられる。第２の出力端子は、第１の出力端子と極性が異なる。Ｗ相端子は、系統電力に接続される。第３のリレーは、第１の補機端子とＵ相端子またはＷ相端子との間に設けられる。第１の補機端子は、補機に接続される。第４のリレーは、第２の補機端子およびＯ相端子の間に設けられる。第２の補機端子は、第１の補機端子とは極性が異なる。Ｏ相端子は、前記系統電力に接続される。第５のリレーは、第１の出力端子および第１の補機端子の間に設けられる。第６のリレーは、第２の出力端子および第２の補機端子の間に設けられる。第１の溶着確認は、第１のリレーを通電させることにより行われる。第２の溶着確認は、第２のリレーを通電させることにより行われる。第３の溶着確認は、同一相リレー、前記第３のリレー、および前記第４のリレーを通電させることにより行われる。同一相リレーは、第３のリレーとともにＵ相端子またはＷ相端子に接続されている第１のリレーまたは第２のリレーである。第４の溶着確認は、非同一相リレー、第３のリレー、および第４のリレーを通電させることにより行われる。非同一リレーは、第１のリレーおよび第２のリレーの中の同一相リレーとは異なる。第５の溶着確認は、同一相リレー、第５のリレー、および第６のリレーを通電させることにより行われる。第６の溶着確認は、非同一相リレー、第５のリレー、および第６のリレーを通電させることにより行われる。
【図面の簡単な説明】
【００１２】
【図１】本開示の一実施形態に係る分散電源の概略構成を示す機能ブロック図である。
【図２】図１のコントローラが実行する、系統電力の電力供給停止中の溶着確認処理を説明するための第１のフローチャートである。
【図３】図１のコントローラが実行する、系統電力の電力供給停止中の溶着確認処理を説明するための第２のフローチャートである。
【図４】図１のコントローラが実行する、系統電力の電力供給中の溶着確認処理を説明するための第１のフローチャートである。
【図５】図１のコントローラが実行する、系統電力の電力供給中の溶着確認処理を説明するための第２のフローチャートである。
【発明を実施するための形態】
【００１３】
以下、本開示を適用したコントローラの実施形態について、図面を参照して説明する。
【００１４】
図１に示すように、本開示の一実施形態に係るコントローラ１０を含む分散電源１１は、交流電源部１２、Ｕ相端子１３、Ｗ相端子１４、Ｏ相端子１５、第１の補機端子１６、第２の補機端子１７、第１のリレー１８、第２のリレー１９、第３のリレー２０、第４のリレー２１、第５のリレー２２、第６のリレー２３、第１の電圧センサ２４、第２の電圧センサ２５、第３の電圧センサ２６、およびコントローラ１０を含んでいる。以後の図において、各機能ブロックを結ぶ実線は、電力の流れを示す。また、図１において、各機能ブロックを結ぶ破線は、制御信号または通信される情報の流れを示す。破線が示す通信は有線通信であってもよいし、無線通信であってもよい。
【００１５】
交流電源部１２は、第１の出力端子２７および第２の出力端子２８を有している。第２の出力端子２８は、第１の出力端子２７とは極性が異なる。交流電源部１２は、第１の出力端子２７および第２の出力端子２８を介して、電流および電圧の調整された交流電力を出力する。交流電源部１２は、例えば、燃料電池、太陽電池、および二次電池などの直流電源を出力可能な電源とインバータ回路とを含む。または、交流電源部１２は、例えば、風力発電などに用いられるタービン発電機などの交流電力を出力可能な電源と調圧回路とを含む。
【００１６】
Ｕ相端子１３、Ｗ相端子１４、およびＯ相端子１５は、系統電力ＧＰに接続される。さらに具体的には、Ｕ相端子１３、Ｗ相端子１４、およびＯ相端子１５は、それぞれ、需要家施設における分電盤のＵ相端子、Ｗ相端子、およびＯ相端子への、系統電力ＧＰからの電力供給線に接続される。分散電源１１は、Ｕ相端子１３、Ｗ相端子１４、およびＯ相端子１５を介して、需要家施設に電力を供給する。
【００１７】
第１の補機端子１６および第２の補機端子１７は、補機２９に接続される。第２の補機端子１７は、第１の補機端子１６とは極性が異なる。補機２９は、系統電力ＧＰから供給される電力により動作し、停電などの系統電力ＧＰからの交流電力の供給停止時には、分散電源１１から供給される交流電力により動作する、特定の負荷機器である。
【００１８】
第１のリレー１８は、例えば、電磁リレーである。第１のリレー１８は、第１の出力端子２７およびＵ相端子１３の間に設けられている。第１のリレー１８は、後述するコントローラ１０の制御に基づいて、第１の出力端子２７およびＵ相端子１３の間の電力の通電および遮断を切替える。
【００１９】
第２のリレー１９は、例えば、電磁リレーである。第２のリレー１９は、第２の出力端子２８およびＷ相端子１４の間に設けられている。第２のリレー１９は、後述するコントローラ１０の制御に基づいて、第２の出力端子２８およびＷ相端子１４の間の電力の通電および遮断を切替える。
【００２０】
第３のリレー２０は、例えば、電磁リレーである。第３のリレー２０は、第１の補機端子１６と、Ｕ相端子１３またはＷ相端子１４との間に設けられている。第３のリレー２０は、本実施形態において、例えば、第１の補機端子１６およびＵ相端子１３の間に設けられている。第３のリレー２０は、後述するコントローラ１０の制御に基づいて、第１の補機端子１６と、Ｕ相端子１３またはＷ相端子１４との間の電力の通電および遮断を切替える。
【００２１】
第４のリレー２１は、例えば、電磁リレーである。第４のリレー２１は、第２の補機端子１７およびＯ相端子１５の間に設けられている。第４のリレー２１は、後述するコントローラ１０の制御に基づいて、第２の補機端子１７およびＯ相端子１５の間の電力の通電および遮断を切替える。
【００２２】
第５のリレー２２は、例えば、電磁リレーである。第５のリレー２２は、第１の出力端子２７および第１の補機端子１６の間に設けられている。第５のリレー２２は、後述するコントローラ１０の制御に基づいて、第１の出力端子２７および第１の補機端子１６の間の電力の通電および遮断を切替える。
【００２３】
第６のリレー２３は、例えば、電磁リレーである。第６のリレー２３は、第２の出力端子２８および第２の補機端子１７の間に設けられている。第６のリレー２３は、後述するコントローラ１０の制御に基づいて、第２の出力端子２８および第２の補機端子１７間の電力の通電および遮断を切替える。
【００２４】
第１の電圧センサ２４は、Ｏ相端子１５とＵ相端子１３との間の電位差を検出する。第１の電圧センサ２４は、検出した電位差をコントローラ１０に通知する。なお、後述するコントローラ１０が、第１の電圧センサ２４が検出した電位差を読出してよい。
【００２５】
第２の電圧センサ２５は、Ｏ相端子１５とＷ相端子１４との間の電位差を検出する。第２の電圧センサ２５は、検出した電位差をコントローラ１０に通知する。なお、後述するコントローラ１０が、第２の電圧センサ２５が検出した電位差を読出してよい。
【００２６】
第３の電圧センサ２６は、第１の出力端子２７および第２の出力端子２８間の電位差を検出する。第３の電圧センサ２６は、検出した電位差をコントローラ１０に通知する。なお、後述するコントローラ１０が、第３の電圧センサ２６が検出した電位差を読出してよい。
【００２７】
コントローラ１０は、例えば、１以上のプロセッサおよびメモリを含む。プロセッサは、特定のプログラムを読み込ませて特定の機能を実行する汎用のプロセッサ、および特定の処理に特化した専用のプロセッサの少なくともいずれかを含んでよい。専用のプロセッサは、特定用途向けＩＣ（ＡＳＩＣ；Ａｐｐｌｉｃａｔｉｏｎ  Ｓｐｅｃｉｆｉｃ  Ｉｎｔｅｇｒａｔｅｄ  Ｃｉｒｃｕｉｔ）を含んでよい。プロセッサは、プログラマブルロジックデバイス（ＰＬＤ；Ｐｒｏｇｒａｍｍａｂｌｅ  Ｌｏｇｉｃ  Ｄｅｖｉｃｅ）を含んでよい。ＰＬＤは、ＦＰＧＡ（Ｆｉｅｌｄ−Ｐｒｏｇｒａｍｍａｂｌｅ  Ｇａｔｅ  Ａｒｒａｙ）を含んでよい。コントローラ１０は、１つまたは複数のプロセッサが協働するＳｏＣ（Ｓｙｓｔｅｍ−ｏｎ−ａ−Ｃｈｉｐ）、およびＳｉＰ（Ｓｙｓｔｅｍ  Ｉｎ  ａ  Ｐａｃｋａｇｅ）の少なくともいずれかを含んでもよい。
【００２８】
コントローラ１０は、第１の電圧センサ２４からＯ相端子１５とＵ相端子１３との間の電位差を取得する。また、コントローラ１０は、第２の電圧センサ２５からＯ相端子１５とＷ相端子１４との間の電位差を取得する。コントローラ１０は、第３の電圧センサ２６から、第１の出力端子２７および第２の出力端子２８の間の電位差を取得する。
【００２９】
また、コントローラ１０は、多様な機器から多様な検出値または制御指令などを取得する。コントローラ１０は、例えば、分散電源１１と同じ需要家施設に設けられる、電力管理装置と多様な情報および制御指令などを通信する。コントローラ１０は、取得した多様な情報および制御指令などに基づいて、分散電源１１の各部位の動作を制御する。
【００３０】
コントローラ１０は、例えば、第１の出力端子２７および第２の出力端子２８の間の電位差に基づいて交流電源部１２を駆動して、電圧などが調節された交流電力を出力させる。また、コントローラ１０は、電力管理装置などから取得する制御指令に基づいて、第１のリレー１８、第２のリレー１９、第３のリレー２０および第４のリレー２１、ならびに第５のリレー２２および第６のリレー２３を制御して、通電および遮断を切替させる。
【００３１】
なお、コントローラ１０は、例えば、制御および構成の簡素化のために、第３のリレー２０および第４のリレー２１に対して、同じ制御信号を出力する。それゆえ、コントローラ１０は、第３のリレー２０および第４のリレー２１の通電および遮断を同時に切替させる。また、コントローラ１０は、例えば、制御および構成の簡素化のために、第５のリレー２２および第６のリレー２３に対して、同じ制御信号を出力する。それゆえ、コントローラ１０は、第５のリレー２２および第６のリレー２３の通電および遮断を同時に切替させる。
【００３２】
コントローラ１０は、第１のリレー１８、第２のリレー１９、第３のリレー２０、第４のリレー２１、第５のリレー２２、および第６のリレー２３における溶着の発生の有無を確認する、溶着確認処理を実行し得る。コントローラ１０は、例えば、系統電力ＧＰが停電する場合のように、系統電力ＧＰからの電力供給が停止後、分散電源１１からの電力供給による自立運転を開始する前に溶着確認処理を実行する。また、コントローラ１０は、例えば、系統電力ＧＰが停電から復電した場合のように、系統電力ＧＰからの電力供給の復活後、系統電力ＧＰによる系統連系運転を開始する前に溶着確認処理を実行する。
【００３３】
なお、コントローラ１０は、系統電力ＧＰの電力供給が停止している場合、第１の電圧センサ２４および第２の電圧センサ２５が検出する電位差に基づいて、溶着確認処理を実行する。また、コントローラ１０は、系統電力ＧＰの電力供給が実行されている場合、第３の電圧センサ２６が検出する電位差に基づいて、溶着確認処理を実行する。
【００３４】
コントローラ１０は、溶着確認処理において、最初に、第１のリレー１８、第２のリレー１９、第３のリレー２０、第４のリレー２１、第５のリレー２２、および第６のリレー２３を遮断に切替えさせる。また、コントローラ１０は、系統電力ＧＰが電力供給を停止している場合、溶着確認処理において、さらに、交流電源部１２を駆動して交流電力を出力させる。また、コントローラ１０は、系統電力ＧＰが電力供給を再開している場合、溶着確認処理において、さらに、交流電源部１２を停止して交流電力の出力を停止させる。
【００３５】
コントローラ１０は、溶着確認処理において、後述する、第１の溶着確認および第２の溶着確認を順不同で行う。
【００３６】
コントローラ１０は、第１の溶着確認において、第１のリレー１８を通電させることにより第２のリレー１９の溶着の発生を確認する。
【００３７】
なお、コントローラ１０は、系統電力ＧＰの電力供給の停止中の第１の溶着確認において、第１の電圧センサ２４および第２の電圧センサ２５にそれぞれ検出される電位差の差分が交流電源部１２から出力する交流電力の電圧に等しい場合、第２のリレー１９に溶着が発生していると判別する。コントローラ１０は、交流電源部１２から出力する交流電力の電圧を、交流電源部１２による電圧調整の目標値または第３の電圧センサ２６の検出値から取得する。
【００３８】
また、コントローラ１０は、系統電力ＧＰからの電力の供給中の第１の溶着確認において、第３の電圧センサ２６に検出される電位差が系統電力ＧＰのＵ相およびＷ相の間の電位差、例えば２００Ｖである場合、第２のリレー１９に溶着が発生していると判別する。コントローラ１０は、Ｕ相およびＷ相の間の電位差に、第１の電圧センサ２４および第２の電圧センサ２５の検出値の差分を適用してよい。
【００３９】
コントローラ１０は、第２の溶着確認において、第２のリレー１９を通電させることにより第１のリレー１８の溶着の発生を確認する。なお、コントローラ１０は、系統電力ＧＰの電力供給の停止中の第２の溶着確認において、第１の電圧センサ２４および第２の電圧センサ２５にそれぞれ検出される電位差の差分が交流電源部１２から出力する交流電力の電圧に等しい場合、第１のリレー１８に溶着が発生していると判別する。また、コントローラ１０は、系統電力ＧＰから電力の供給中の第２の溶着確認において、第３の電圧センサ２６に検出される電位差が系統電力ＧＰのＵ相およびＷ相の間の電位差、例えば２００Ｖである場合、第１のリレー１８に溶着が発生していると判別する。
【００４０】
コントローラ１０は、溶着確認処理において、第１の溶着確認および第２の溶着確認を順不同で行った後、第３の溶着確認、第４の溶着確認、第５の溶着確認、および第６の溶着確認を実行する。コントローラ１０は、第３の溶着確認を第４の溶着確認より先に、第５の溶着確認を第６の溶着確認より先に行う。
【００４１】
コントローラ１０は、例えば、第３の溶着確認、第４の溶着確認、第５の溶着確認、および第６の溶着確認を順番に実行する。または、コントローラ１０は、例えば、第３の溶着確認、第５の溶着確認、第６の溶着確認、および第４の溶着確認を順番に実行する。または、コントローラ１０は、例えば、第３の溶着確認、第５の溶着確認、第４の溶着確認、および第６の溶着確認を順番に実行する。または、コントローラ１０は、例えば、第５の溶着確認、第６の溶着確認、第３の溶着確認、および第４の溶着確認を順番に実行する。または、コントローラ１０は、例えば、第５の溶着確認、第３の溶着確認、第４の溶着確認、および第６の溶着確認を順番に実行する。または、コントローラ１０は、例えば、第５の溶着確認、第３の溶着確認、第６の溶着確認、および第４の溶着確認を順番に実行する。
【００４２】
コントローラ１０は、第３の溶着確認において、同一相リレー、第３のリレー２０、および第４のリレー２１を通電させることにより第６のリレー２３の溶着の発生を確認する。同一相リレーとは、第１のリレー１８および第２のリレー１９の中で、第３のリレー２０とともにＵ相端子１３またはＷ相端子１４に接続されているリレーである。同一相リレーは、本実施形態においては、第１のリレー１８である。
【００４３】
なお、コントローラ１０は、系統電力ＧＰの電力供給の停止中の第３の溶着確認において、Ｕ相端子１３およびＷ相端子１４の中で同一相リレーに接続される一方の端子とＯ相端子１５との間の電位差が交流電源部１２が出力する交流電力の電圧に等しい場合、第６のリレー２３に溶着が発生していると判別する。なお、本実施形態において、Ｕ相端子１３およびＷ相端子１４の中で同一相リレーに接続される一方の端子は、Ｕ相端子１３である。したがって、Ｕ相端子１３およびＯ相端子１５の間の電位差は、第１の電圧センサ２４により検出される。また、コントローラ１０は、系統電力ＧＰから電力の供給中の第３の溶着確認において、第３の電圧センサ２６に検出される電位差が系統電力ＧＰのＵ相およびＯ相の電位差、例えば１００Ｖである場合、第６のリレー２３に溶着が発生していると判別する。
【００４４】
コントローラ１０は、第４の溶着確認において、非同一相リレー、第３のリレー２０、および第４のリレー２１を通電させることにより第５のリレー２２の溶着の発生を確認する。非同一相リレーとは、第１のリレー１８および第２のリレー１９の中で、同一相リレーとは異なるリレーである。すなわち、非同一相リレーは、第１のリレー１８および第２のリレー１９の中で、第３のリレー２０とともにはＵ相端子１３またはＷ相端子１４に接続されていないリレーである。非同一相リレーは、本実施形態においては、第２のリレー１９である。
【００４５】
なお、コントローラ１０は、系統電力ＧＰの電力供給の停止中の第４の溶着確認において、第１の電圧センサ２４および第２の電圧センサ２５にそれぞれ検出される電位差の差分が交流電源部１２から出力される交流電力の電圧である場合、第５のリレー２２に溶着が発生していると判別する。また、コントローラ１０は、系統電力ＧＰから電力の供給中の第４の溶着確認において、第３の電圧センサ２６に検出される電位差が系統電力ＧＰのＵ相およびＷ相の電位差、例えば２００Ｖである場合、第５のリレー２２に溶着が発生していると判別する。
【００４６】
コントローラ１０は、第５の溶着確認において、同一相リレー、第５のリレー２２、および第６のリレー２３を通電させることにより第４のリレー２１の溶着の発生を確認する。なお、コントローラ１０は、系統電力ＧＰの電力供給の停止中の第５の溶着確認において、Ｕ相端子１３およびＷ相端子１４の中で同一相リレーに接続される一方の端子とＯ相端子１５との間の電位差が交流電源部１２から出力される交流電力の電圧に等しい場合、第４のリレー２１に溶着が発生していると判別する。また、コントローラ１０は、系統電力ＧＰから電力の供給中の第５の溶着確認において、第３の電圧センサ２６に検出される電位差が系統電力ＧＰのＵ相およびＯ相の電位差、例えば１００Ｖである場合、第４のリレー２１に溶着が発生していると判別する。
【００４７】
コントローラ１０は、第６の溶着確認において、非同一相リレー、第５のリレー２２、および第６のリレー２３を通電させることにより第３のリレー２０の溶着の発生を確認する。なお、コントローラ１０は、系統電力ＧＰの電力供給の停止中の第６の溶着確認において、第１の電圧センサ２４および第２の電圧センサ２５にそれぞれ検出される電位差の差分が交流電源部１２から出力される交流電力の電圧である場合、第３のリレー２０に溶着が発生していると判別する。また、コントローラ１０は、系統電力ＧＰから電力の供給中の第６の溶着確認において、第３の電圧センサ２６に検出される電位差が系統電力ＧＰのＵ相およびＷ相の電位差、例えば２００Ｖである場合、第３のリレー２０に溶着が発生していると判別する。
【００４８】
コントローラ１０は、第１の溶着確認から第６の溶着確認の実行中に、第１のリレー１８から第６のリレー２３のいずれかに溶着が発生していることを最初に判別した場合、未実行の残りの溶着確認を取止める。
【００４９】
コントローラ１０は、第１の溶着確認から第６の溶着確認の実行中に、第１のリレー１８から第６のリレー２３のいずれかに溶着が発生していることを最初に判別した場合、報知信号を生成する。報知信号は、第１のリレー１８から第６のリレー２３に溶着が発生していることを示す信号である。報知信号は、第１のリレー１８から第６のリレー２３の中で溶着が発生しているリレーを示す情報を含んでよい。コントローラ１０は、報知信号を、例えば、分散電源１１のリモートコントローラ３０または電力管理装置に出力する。
【００５０】
次に、本実施形態においてコントローラ１０が実行する、系統電力ＧＰの電力供給停止中の溶着確認処理について、図２、３のフローチャートを用いて説明する。系統電力ＧＰの電力供給停止中の溶着確認処理は、コントローラ１０が、系統電力ＧＰの停電を検出した後に開始する。なお、コントローラ１０は、例えば、第１の電圧センサ２４の検出する電圧、および電力管理装置などからの情報などに基づいて、系統電力ＧＰの停電を検出する。
【００５１】
図２に示すように、ステップＳ１００では、コントローラ１０は、交流電源部１２が交流電力を出力しているか否かを判別する。交流電力を出力している場合、プロセスはステップＳ１０１に進む。交流電力を出力していない場合、プロセスはステップＳ１０２に進む。
【００５２】
ステップＳ１０１では、コントローラ１０は、交流電源部１２を停止して、交流電力の出力を停止させる。交流電源部１２の停止後、プロセスはステップＳ１０２に進む。
【００５３】
ステップＳ１０２では、コントローラ１０は、第１のリレー１８から第６のリレー２３のすべてを遮断させる。遮断後、プロセスはステップＳ１０３に進む。
【００５４】
ステップＳ１０３では、コントローラ１０は、第１のリレー１８を通電させる。第１のリレー１８の通電後、プロセスはステップＳ１０４に進む。
【００５５】
ステップＳ１０４では、コントローラ１０は、交流電源部１２を駆動して交流電力を出力させる。交流電源部１２の駆動後、プロセスはステップＳ１０５に進む。
【００５６】
ステップＳ１０５では、コントローラ１０は、第１の電圧センサ２４および第２の電圧センサ２５が検出する電位差の差分が、交流電源部１２から出力される交流電力の電圧であるか否かを判別する。また、コントローラ１０は、判別後、交流電源部１２を停止させる。当該交流電力の電圧である場合、プロセスはステップＳ１０６に進む。当該交流電力の電圧でない場合、プロセスはステップＳ１０７に進む。
【００５７】
ステップＳ１０６では、コントローラ１０は、第２のリレー１９に溶着が発生していると判別する。判別後、プロセスはステップＳ１２８（図３参照）に進む。
【００５８】
ステップＳ１０７では、コントローラ１０は、第１のリレー１８を遮断させる。第１のリレー１８の遮断後、プロセスはステップＳ１０８に進む。
【００５９】
ステップＳ１０８では、コントローラ１０は、第２のリレー１９を通電させる。さらに、コントローラ１０は、交流電源部１２を駆動させる。第２のリレー１９の通電後、プロセスはステップＳ１０９に進む。
【００６０】
ステップＳ１０９では、コントローラ１０は、第１の電圧センサ２４および第２の電圧センサ２５が検出する電位差の差分が、交流電源部１２から出力される交流電力の電圧であるか否かを判別する。また、コントローラ１０は、判別後、交流電源部１２を停止させる。当該交流電力の電圧である場合、プロセスはステップＳ１１０に進む。当該交流電力の電圧でない場合、プロセスはステップＳ１１１に進む。
【００６１】
ステップＳ１１０では、コントローラ１０は、第１のリレー１８に溶着が発生していると判別する。判別後、プロセスはステップＳ１２８（図３参照）に進む。
【００６２】
ステップＳ１１１では、コントローラ１０は、第２のリレー１９を遮断させる。第２のリレー１９の遮断後、プロセスはステップＳ１１２に進む。
【００６３】
ステップＳ１１２では、コントローラ１０は、本実施形態において第１のリレー１８である同一相リレー、第３のリレー２０、および第４のリレー２１を通電させる。さらに、コントローラ１０は、交流電源部１２を駆動させる。同一相リレー、第３のリレー２０、および第４のリレー２１の通電後、プロセスはステップＳ１１３に進む。
【００６４】
ステップＳ１１３では、コントローラ１０は、第１の電圧センサ２４が検出する電位差が、交流電源部１２から出力される交流電力の電圧であるか否かを判別する。また、コントローラ１０は、判別後、交流電源部１２を停止させる。当該交流電力の電圧である場合、プロセスはステップＳ１１４に進む。当該交流電力の電圧でない場合、プロセスはステップＳ１１５に進む。
【００６５】
ステップＳ１１４では、コントローラ１０は、第６のリレー２３に溶着が発生していると判別する。判別後、プロセスはステップＳ１２８（図３参照）に進む。
【００６６】
ステップＳ１１５では、コントローラ１０は、同一相リレー、第３のリレー２０、および第４のリレー２１を遮断させる。同一相リレー、第３のリレー２０、および第４のリレー２１の遮断後、プロセスはステップＳ１１５（図３参照）に進む。
【００６７】
図３に示すように、ステップＳ１１６では、コントローラ１０は、本実施形態において第２のリレー１９である非同一相リレー、第３のリレー２０、および第４のリレー２１を通電させる。さらに、コントローラ１０は、交流電源部１２を駆動させる。非同一相リレー、第３のリレー２０、および第４のリレー２１の通電後、プロセスはステップＳ１１７に進む。
【００６８】
ステップＳ１１７では、コントローラ１０は、第１の電圧センサ２４および第２の電圧センサ２５が検出する電位差の差分が、交流電源部１２から出力される交流電力の電圧であるか否かを判別する。また、コントローラ１０は、判別後、交流電源部１２を停止させる。当該交流電力の電圧である場合、プロセスはステップＳ１１８に進む。当該交流電力の電圧でない場合、プロセスはステップＳ１１９に進む。
【００６９】
ステップＳ１１８では、コントローラ１０は、第５のリレー２２に溶着が発生していると判別する。判別後、プロセスはステップＳ１２８に進む。
【００７０】
ステップＳ１１９では、コントローラ１０は、非同一相リレー、第３のリレー２０、および第４のリレー２１を遮断させる。非同一相リレー、第３のリレー２０、および第４のリレー２１の遮断後、プロセスはステップＳ１２０に進む。
【００７１】
ステップＳ１２０では、コントローラ１０は、本実施形態において第１のリレー１８である同一相リレー、第５のリレー２２、および第６のリレー２３を通電させる。さらに、コントローラ１０は、交流電源部１２を駆動させる。同一相リレー、第５のリレー２２、および第６のリレー２３の通電後、プロセスはステップＳ１２１に進む。
【００７２】
ステップＳ１２１では、コントローラ１０は、第１の電圧センサ２４が検出する電位差が、交流電源部１２から出力される交流電力の電圧であるか否かを判別する。また、コントローラ１０は、判別後、交流電源部１２を停止させる。当該交流電力の電圧である場合、プロセスはステップＳ１２２に進む。当該交流電力の電圧でない場合、プロセスはステップＳ１２３に進む。
【００７３】
ステップＳ１２２では、コントローラ１０は、第４のリレー２１に溶着が発生していると判別する。判別後、プロセスはステップＳ１２８に進む。
【００７４】
ステップＳ１２３では、コントローラ１０は、同一相リレー、第５のリレー２２、および第６のリレー２３を遮断させる。同一相リレー、第５のリレー２２、および第６のリレー２３の遮断後、プロセスはステップＳ１２４に進む。
【００７５】
ステップＳ１２４では、コントローラ１０は、本実施形態において第２のリレー１９である非同一相リレー、第５のリレー２２、および第６のリレー２３を通電させる。さらに、コントローラ１０は、交流電源部１２を駆動させる。非同一相リレー、第５のリレー２２、および第６のリレー２３の通電後、プロセスはステップＳ１２５に進む。
【００７６】
ステップＳ１２５では、コントローラ１０は、第１の電圧センサ２４および第２の電圧センサ２５が検出する電位差の差分が、交流電源部１２から出力される交流電力の電圧であるか否かを判別する。また、コントローラ１０は、判別後、交流電源部１２を停止させる。当該交流電力の電圧でない場合、プロセスはステップＳ１２６に進む。当該交流電力の電圧である場合、プロセスはステップＳ１２７に進む。
【００７７】
ステップＳ１２６では、コントローラ１０は、非同一相リレー、第５のリレー２２、および第６のリレー２３を遮断させる。非同一相リレー、第５のリレー２２、および第６のリレー２３の遮断後、プロセスはステップＳ１２９に進む。
【００７８】
ステップＳ１２７では、コントローラ１０は、第３のリレー２０に溶着が発生していると判別する。判別後、プロセスはステップＳ１２７に進む。
【００７９】
ステップＳ１２８では、コントローラ１０は、報知信号を生成する。また、コントローラ１０は、報知信号を、分散電源１１のリモートコントローラ３０または電力管理装置に出力する。報知信号の生成後、プロセスはステップＳ１２９に進む。
【００８０】
ステップＳ１２９では、コントローラ１０は、第１のリレー１８から第６のリレー２３のすべてを遮断させる。遮断後、系統電力ＧＰの電力供給停止中の溶着確認処理は終了する。
【００８１】
次に、本実施形態においてコントローラ１０が実行する、系統電力ＧＰの電力供給中の溶着確認処理について、図４、５のフローチャートを用いて説明する。系統電力ＧＰの電力供給中の溶着確認処理は、コントローラ１０が、系統電力ＧＰの復電を検出した後に開始する。なお、コントローラ１０は、例えば、第１の電圧センサ２４の検出する電位差、および電力管理装置などからの情報などに基づいて、系統電力ＧＰの復電を検出する。
【００８２】
図４に示すように、ステップＳ２００では、コントローラ１０は、交流電源部１２が交流電力を出力しているか否かを判別する。交流電力を出力している場合、プロセスはステップＳ２０１に進む。交流電力を出力していない場合、プロセスはステップＳ２０２に進む。
【００８３】
ステップＳ２０１では、コントローラ１０は、交流電源部１２を停止させる。交流電源部１２の停止後、プロセスはステップＳ２０２に進む。
【００８４】
ステップＳ２０２では、コントローラ１０は、第１のリレー１８から第６のリレー２３のすべてを遮断させる。遮断後、プロセスはステップＳ２０３に進む。
【００８５】
ステップＳ２０３では、コントローラ１０は、第１のリレー１８を通電させる。第１のリレー１８の通電後、プロセスはステップＳ２０４に進む。
【００８６】
ステップＳ２０４では、コントローラ１０は、第３の電圧センサ２６が検出する電位差が、系統電力ＧＰのＵ相およびＷ相間の電位差であるか否かを判別する。Ｕ相およびＷ相間の電位差である場合、プロセスはステップＳ２０５に進む。Ｕ相およびＷ相間の電位差でない場合、プロセスはステップＳ２０６に進む。
【００８７】
ステップＳ２０５では、コントローラ１０は、第２のリレー１９に溶着が発生していると判別する。判別後、プロセスはステップＳ２２７（図５参照）に進む。
【００８８】
ステップＳ２０６では、コントローラ１０は、第１のリレー１８を遮断させる。第１のリレー１８の遮断後、プロセスはステップＳ２０７に進む。
【００８９】
ステップＳ２０７では、コントローラ１０は、第２のリレー１９を通電させる。第２のリレー１９の通電後、プロセスはステップＳ２０８に進む。
【００９０】
ステップＳ２０８では、コントローラ１０は、第３の電圧センサ２６が検出する電位差が、系統電力ＧＰのＵ相およびＷ相間の電位差であるか否かを判別する。Ｕ相およびＷ相間の電位差である場合、プロセスはステップＳ２０９に進む。Ｕ相およびＷ相間の電位差でない場合、プロセスはステップＳ２１０に進む。
【００９１】
ステップＳ２０９では、コントローラ１０は、第１のリレー１８に溶着が発生していると判別する。判別後、プロセスはステップＳ２２７（図５参照）に進む。
【００９２】
ステップＳ２１０では、コントローラ１０は、第２のリレー１９を遮断させる。第２のリレー１９の遮断後、プロセスはステップＳ２１１に進む。
【００９３】
ステップＳ２１１では、コントローラ１０は、本実施形態において第１のリレー１８である同一相リレー、第３のリレー２０、および第４のリレー２１を通電させる。同一相リレー、第３のリレー２０、および第４のリレー２１の通電後、プロセスはステップＳ２１２に進む。
【００９４】
ステップＳ２１２では、コントローラ１０は、第３の電圧センサ２６が検出する電位差が、系統電力ＧＰのＵ相およびＯ相間の電位差であるか否かを判別する。Ｕ相およびＯ相間の電位差である場合、プロセスはステップＳ２１３に進む。Ｕ相およびＯ相間の電位差でない場合、プロセスはステップＳ２１４に進む。
【００９５】
ステップＳ２１３では、コントローラ１０は、第６のリレー２３に溶着が発生していると判別する。判別後、プロセスはステップＳ２２７（図５参照）に進む。
【００９６】
ステップＳ２１４では、コントローラ１０は、同一相リレー、第３のリレー２０、および第４のリレー２１を遮断させる。同一相リレー、第３のリレー２０、および第４のリレー２１の遮断後、プロセスはステップＳ２１５（図５参照）に進む。
【００９７】
図５に示すように、ステップＳ２１５では、コントローラ１０は、本実施形態において第２のリレー１９である非同一相リレー、第３のリレー２０、および第４のリレー２１を通電させる。非同一相リレー、第３のリレー２０、および第４のリレー２１の通電後、プロセスはステップＳ２１６に進む。
【００９８】
ステップＳ２１６では、コントローラ１０は、第３の電圧センサ２６が検出する電位差が、系統電力ＧＰのＵ相およびＷ相間の電位差であるか否かを判別する。Ｕ相およびＷ相間の電位差である場合、プロセスはステップＳ２１７に進む。Ｕ相およびＷ相間の電位差でない場合、プロセスはステップＳ２１８に進む。
【００９９】
ステップＳ２１７では、コントローラ１０は、第５のリレー２２に溶着が発生していると判別する。判別後、プロセスはステップＳ２２７に進む。
【０１００】
ステップＳ２１８では、コントローラ１０は、非同一相リレー、第３のリレー２０、および第４のリレー２１を遮断させる。非同一相リレー、第３のリレー２０、および第４のリレー２１の遮断後、プロセスはステップＳ２１９に進む。
【０１０１】
ステップＳ２１９では、コントローラ１０は、本実施形態において第１のリレー１８である同一相リレー、第５のリレー２２、および第６のリレー２３を通電させる。同一相リレー、第５のリレー２２、および第６のリレー２３の通電後、プロセスはステップＳ２２０に進む。
【０１０２】
ステップＳ２２０では、コントローラ１０は、第３の電圧センサ２６が検出する電位差が、系統電力ＧＰのＵ相およびＯ相間の電位差であるか否かを判別する。Ｕ相およびＯ相間の電位差である場合、プロセスはステップＳ１２１に進む。Ｕ相およびＯ相間の電位差でない場合、プロセスはステップＳ２２２に進む。
【０１０３】
ステップＳ２２１では、コントローラ１０は、第４のリレー２１に溶着が発生していると判別する。判別後、プロセスはステップＳ２２７に進む。
【０１０４】
ステップＳ２２２では、コントローラ１０は、同一相リレー、第５のリレー２２、および第６のリレー２３を遮断させる。同一相リレー、第５のリレー２２、および第６のリレー２３の遮断後、プロセスはステップＳ２２３に進む。
【０１０５】
ステップＳ２２３では、コントローラ１０は、本実施形態において第２のリレー１９である非同一相リレー、第５のリレー２２、および第６のリレー２３を通電させる。非同一相リレー、第５のリレー２２、および第６のリレー２３の通電後、プロセスはステップＳ２２４に進む。
【０１０６】
ステップＳ２２４では、コントローラ１０は、第３の電圧センサ２６が検出する電位差が、系統電力ＧＰのＵ相およびＷ相間の電位差であるか否かを判別する。Ｕ相およびＷ相間の電位差でない場合、プロセスはステップＳ２２５に進む。Ｕ相およびＷ相間の電位差である場合、プロセスはステップＳ２２６に進む。
【０１０７】
ステップＳ２２５では、コントローラ１０は、非同一相リレー、第５のリレー２２、および第６のリレー２３を遮断させる。非同一相リレー、第５のリレー２２、および第６のリレー２３の遮断後、プロセスはステップＳ２２８に進む。
【０１０８】
ステップＳ２２６では、コントローラ１０は、第３のリレー２０に溶着が発生していると判別する。判別後、プロセスはステップＳ２２７に進む。
【０１０９】
ステップＳ２２７では、コントローラ１０は、報知信号を生成する。また、コントローラ１０は、報知信号を、分散電源１１のリモートコントローラ３０または電力管理装置に出力する。報知信号の生成後、プロセスはステップＳ２２８に進む。
【０１１０】
ステップＳ２２８では、コントローラ１０は、第１のリレー１８から第６のリレー２３のすべてを遮断させる。遮断後、系統電力ＧＰの電力供給中の溶着確認処理は終了する。
【０１１１】
以上のような構成の本実施形態のコントローラ１０は、第１の溶着確認および第２の溶着確認を順不同で行った後、第３の溶着確認を第４の溶着確認より先に、かつ第５の溶着確認を第６の溶着確認より先に行っている。このような構成による効果を以下に説明する。
【０１１２】
第１のリレー１８を通電させている間、第３のリレー２０から第６のリレー２３の溶着の有無に関わらず、第２のリレー１９に溶着が発生している場合、第１の出力端子２７およびＵ相端子１３の電位は等しく、また第２の出力端子２８およびＷ相端子１４の電位は等しい。それゆえ、第３のリレー２０から第６のリレー２３の溶着の有無に関わらず、第２のリレー１９に溶着が発生している場合、系統電力ＧＰの電力供給停止中においては、第１の電圧センサ２４および第２の電圧センサ２５が検出する電位差の差分は、交流電源部１２から出力される交流電力の電圧に等しい。また、第３のリレー２０から第６のリレー２３の溶着の有無に関わらず、第２のリレー１９に溶着が発生している場合、系統電力ＧＰの電力供給中においては、第３の電圧センサ２６が検出する電圧は、Ｕ相およびＷ相間の電位差に等しい。
【０１１３】
同様に、第２のリレー１９を通電させている間、第３のリレー２０から第６のリレー２３の溶着の有無に関わらず、第１のリレー１８に溶着が発生している場合、第１の出力端子２７およびＵ相端子１３の電位は等しく、また第２の出力端子２８およびＷ相端子１４の電位は等しい。それゆえ、第３のリレー２０から第６のリレー２３の溶着の有無に関わらず、第１のリレー１８に溶着が発生している場合、系統電力ＧＰの電力供給停止中においては、第１の電圧センサ２４および第２の電圧センサ２５が検出する電位差の差分は、交流電源部１２から出力される交流電力の電圧に等しい。また、第３のリレー２０から第６のリレー２３の溶着の有無に関わらず、第１のリレー１８に溶着が発生している場合、系統電力ＧＰの電力供給中においては、第３の電圧センサ２６が検出する電圧は、Ｕ相およびＷ相間の電位差に等しい。
【０１１４】
したがって、本実施形態に係るコントローラ１０は、第１のリレー１８を通電させることによる第１の溶着確認および第２のリレー１９を通電させることによる第２の溶着確認を順不同で行うことにより、第３のリレー２０から第６のリレー２３における溶着の発生の有無に関わらず、第２のリレー１９および第１のリレー１８に溶着が発生しているか否かを判別し得る。
【０１１５】
また、同一相リレー、第３のリレー２０、および第４のリレー２１を通電させている間、第５のリレー２２の溶着の有無に関わらず、第６のリレー２３に溶着が発生している場合、第１の出力端子２７およびＵ相端子１３の電位は等しく、また第２の出力端子２８およびＯ相端子１５の電位は等しい。それゆえ、第５のリレー２２の溶着の有無に関わらず、第６のリレー２３に溶着が発生している場合、系統電力ＧＰの電力供給停止中においては、第１の電圧センサ２４が検出する電位差は、交流電源部１２から出力される交流電力の電圧に等しい。また、第５のリレー２２の溶着の有無に関わらず、第６のリレー２３に溶着が発生している場合、系統電力ＧＰの電力供給中においては、第３の電圧センサ２６が検出する電圧は、Ｕ相およびＯ相間の電位差に等しい。
【０１１６】
したがって、本実施形態に係るコントローラ１０は、第１の溶着確認により第２のリレー１９に溶着が発生していないことの判別後、同一相リレー、第３のリレー２０、および第４のリレー２１を通電させることによる第３の溶着確認を行うことにより、第５のリレー２２の溶着の発生の有無に関わらず、第６のリレー２３に溶着が発生しているか否かを判別し得る。なお、第３の溶着確認において、第５のリレー２２に溶着が発生していたとしても、Ｕ相端子１３は、同一相リレーを通る経路、ならびに第３のリレー２０および第５のリレー２２を通る経路のいずれにおいても第１の出力端子２７に至る。したがって、第３の溶着確認では、短絡は発生しない。
【０１１７】
また、非同一相リレー、第３のリレー２０、および第４のリレー２１を通電させている間、第５のリレー２２に溶着が発生している場合、第１の出力端子２７およびＵ相端子１３の電位は等しく、また第２の出力端子２８およびＷ相端子１４の電位は等しい。それゆえ、第５のリレー２２に溶着が発生している場合、系統電力ＧＰの電力供給停止中においては、第１の電圧センサ２４および第２の電圧センサ２５が検出する電位差の差分は、交流電源部１２から出力される交流電力の電圧に等しい。また、第５のリレー２２に溶着が発生している場合、系統電力ＧＰの電力供給中においては、第３の電圧センサ２６が検出する電圧は、Ｕ相およびＷ相間の電位差に等しい。
【０１１８】
したがって、本実施形態に係るコントローラ１０は、第２の溶着確認および第３の溶着確認それぞれにより第１のリレー１８および第６のリレー２３に溶着が発生していないことの判別後、非同一相リレー、第３のリレー２０、および第４のリレー２１を通電させることによる第４の溶着確認を行うことにより、第５のリレー２２に溶着が発生しているか否かを判別し得る。なお、コントローラ１０は、第４の溶着確認の前に第３の溶着確認を行うことにより、非同一相リレー、第４のリレー２１、および第６のリレー２３が通電することによるＯ相端子１５およびＷ相端子１４の短絡の発生を防ぎ得る。
【０１１９】
また、同一相リレー、第５のリレー２２、および第６のリレー２３を通電させている間、第３のリレー２０の溶着の有無に関わらず、第４のリレー２１に溶着が発生している場合、第１の出力端子２７およびＵ相端子１３の電位は等しく、また第２の出力端子２８およびＯ相端子１５の電位は等しい。それゆえ、第３のリレー２０の溶着の有無に関わらず、第４のリレー２１に溶着が発生している場合、系統電力ＧＰの電力供給停止中においては、第１の電圧センサ２４が検出する電位差は、交流電源部１２から出力される交流電力の電圧に等しい。また、第３のリレー２０の溶着の有無に関わらず、第４のリレー２１に溶着が発生している場合、系統電力ＧＰの電力供給中においては、第３の電圧センサ２６が検出する電圧は、Ｕ相およびＯ相間の電位差に等しい。
【０１２０】
したがって、本実施形態に係るコントローラ１０は、第１の溶着確認により第２のリレー１９に溶着が発生していないことの判別後、同一相リレー、第５のリレー２２、および第６のリレー２３を通電させることによる第５の溶着確認を行うことにより、第３のリレー２０の溶着の発生の有無に関わらず、第４のリレー２１に溶着が発生しているか否かを判別し得る。なお、第５の溶着確認において、第３のリレー２０に溶着が発生していたとしても、Ｕ相端子１３は、同一相リレーを通る経路、ならびに第３のリレー２０および第５のリレー２２を通る経路のいずれにおいても第１の出力端子２７に至る。したがって第５の溶着確認において、短絡は発生しない。
【０１２１】
また、非同一相リレー、第５のリレー２２、および第６のリレー２３を通電させている間、第３のリレー２０に溶着が発生している場合、第１の出力端子２７およびＵ相端子１３の電位は等しく、また第２の出力端子２８およびＷ相端子１４の電位は等しい。それゆえ、第３のリレー２０に溶着が発生している場合、系統電力ＧＰの電力供給停止中においては、第１の電圧センサ２４および第２の電圧センサ２５が検出する電位差の差分は、交流電源部１２から出力される交流電力の電圧に等しい。また、第３のリレー２０に溶着が発生している場合、系統電力ＧＰの電力供給中においては、第３の電圧センサ２６が検出する電圧は、Ｕ相およびＷ相間の電位差に等しい。
【０１２２】
したがって、本実施形態に係るコントローラ１０は、第２の溶着確認および第３の溶着確認それぞれにより第１のリレー１８および第６のリレー２３に溶着が発生していないことの判別後、非同一相リレー、第５のリレー２２、および第６のリレー２３を通電させることによる第６の溶着確認を行うことにより、第４のリレー２１に溶着が発生しているか否かを判別し得る。なお、コントローラ１０は、第６の溶着確認の前に第５の溶着確認を行うことにより、非同一相リレー、第４のリレー２１、および第６のリレー２３が通電することによるＯ相端子１５およびＷ相端子１４の短絡の発生を防ぎ得る。
【０１２３】
以上のように、本実施形態に係るコントローラ１０は、複数のリレーのいずれかにおける溶着の発生を、従来より少ないセンサの検出結果を用いて、判別し得る。
【０１２４】
また、本実施形態に係るコントローラ１０は、第１のリレー１８から第６のリレー２３のいずれかに溶着が発生していることが最初に判別された場合、未実行の溶着確認を取止める。したがって、コントローラ１０は、他のリレーの溶着の発生を判別できない無駄な溶着確認を取止め、溶着発生の判別後の溶着確認の実行による分散電源１１内での短絡の発生を防ぎ得る。
【０１２５】
また、本実施形態に係るコントローラ１０は、第１のリレー１８から第６のリレー２３のいずれかに溶着が発生していることが判別された場合、報知信号を出力する。したがって、コントローラ１０は、分散電源１１の修理が必要であることをユーザに報知し得る。
【０１２６】
本開示を諸図面や実施例に基づき説明してきたが、当業者であれば本開示に基づき種々の変形や修正を行うことが容易であることに注意されたい。従って、これらの変形や修正は本開示の範囲に含まれることに留意されたい。
【０１２７】
例えば、本実施形態において、コントローラ１０は、分散電源１１に含まれる構成であるが、分散電源１１に内蔵されず、分散電源１１の外部に設けられてよい。
【０１２８】
また、本実施形態において、コントローラ１０は、溶着の発生を最初に判別した場合に報知信号を生成する構成であるが、報知信号そのものを予め作成し、第１のリレー１８から第６のリレー２３のいずれかに溶着が発生していることを最初に判別した場合に、予め作成していた報知信号を出力する構成であってよい。
【０１２９】
また、本実施形態において、コントローラ１０は、ステップＳ１０７、Ｓ１１１、Ｓ１１５、Ｓ１１９、Ｓ１２３、およびＳ１２６で、各リレーの遮断前に交流電源部１２を停止させ、ステップＳ１０８、Ｓ１１２、Ｓ１１６、Ｓ１２０、およびＳ１２４で、各リレーの通電後に交流電源部１２を駆動させている。しかし、コントローラ１０は、各リレーの遮断前の交流電源部１２の停止および各リレーの通電後の交流電源部１２の駆動を行わず、ステップＳ１０４以降、交流電源部１２の駆動を維持してよい。
【０１３０】
なお、ここでは、特定の機能を実行する種々のモジュール及び/またはユニットを有するものとしてのシステムを開示しており、これらのモジュール及びユニットは、その機能性を簡略に説明するために模式的に示されたものであって、必ずしも、特定のハードウェア及び/またはソフトウェアを示すものではないことに留意されたい。その意味において、これらのモジュール、ユニット、その他の構成要素は、ここで説明された特定の機能を実質的に実行するように実装されたハードウェア及び/またはソフトウェアであればよい。異なる構成要素の種々の機能は、ハードウェア及び/もしくはソフトウェアのいかなる組合せまたは分離したものであってもよく、それぞれ別々に、またはいずれかの組合せにより用いることができる。また、キーボード、ディスプレイ、タッチスクリーン、ポインティングデバイス等を含むがこれらに限られない入力/出力もしくはI/Oデバイスまたはユーザインターフェースは、システムに直接にまたは介在するI/Oコントローラを介して接続することができる。このように、本開示内容の種々の側面は、多くの異なる態様で実施することができ、それらの態様はすべて本開示内容の範囲に含まれる。
【符号の説明】
【０１３１】
１０  コントローラ
１１  分散電源
１２  交流電源部
１３  Ｕ相端子
１４  Ｗ相端子
１５  Ｏ相端子
１６  第１の補機端子
１７  第２の補記端子
１８  第１のリレー
１９  第２のリレー
２０  第３のリレー
２１  第４のリレー
２２  第５のリレー
２３  第６のリレー
２４  第１の電圧センサ
２５  第２の電圧センサ
２６  第３の電圧センサ
２７  第１の出力端子
２８  第２の出力端子
２９  補機
３０  リモートコントローラ
ＧＰ  系統電力ＧＰ
【図１】
0006733058.tif 000002
【図２】
0006733058.tif 000003
【図３】
0006733058.tif 000004
【図４】
0006733058.tif 000005
【図５】
0006733058.tif 000006